(57)【要約】  通過帯域内におけるＶＳＷＲや挿入損失の劣化を招くことなく、入力インピ−ダンスと出力インピ−ダンスとの比を１から異ならせることが可能な弾性表面波フィルタ装置を得る。  入力端子５に第１の弾性表面波フィルタ３の第２のＩＤＴ１２が接続されており、第１，第３のＩＤＴ１１，１３が、第２の弾性表面波フィルタ４の第１，第３のＩＤＴ１５，１７に接続されており、第２のＩＤＴ１６が出力端子６に接続されており、第１〜第３のＩＤＴにおいて、ＩＤＴ同士が隣り合う部分に狭ピッチ電極指部Ｎが設けられており、第１の弾性表面波フィルタ３の第１，第３のＩＤＴ１１，１３の狭ピッチ電極指部の電極指ピッチＰ１、電極指の本数ｎ１と、第２の弾性表面波フィルタ４の第１，第３のＩＤＴ１５，１７の狭ピッチ電極指部の電極指ピッチＰ２及び電極指の本数ｎ２とが特定の条件を満たすように構成されている、弾性表面波フィルタ装置１。【特許請求の範囲】
【請求項１】
圧電基板と、
前記圧電基板上において、弾性表面波伝搬方向に沿って配置された３個のＩＤＴを有する３ＩＤＴ型の縦結合共振子型の第１の弾性表面波フィルタと、
前記圧電基板上において弾性表面波伝搬方向に沿って配置された３個のＩＤＴを有する３ＩＤＴ型の縦結合共振子型の第２の弾性表面波フィルタとを備え、
前記第１の弾性表面波フィルタの第２のＩＤＴが第１の入出力端子に、第２の弾性表面波フィルタの第２のＩＤＴが第２の入出力端子に接続されており、
前記第１の弾性表面波フィルタの第１，第３のＩＤＴが前記第２の弾性表面波フィルタの第１，第３のＩＤＴにそれぞれカスケ−ド接続されており、
前記第１，第２の弾性表面波フィルタの各第１，第３のＩＤＴは、第２のＩＤＴに隣接する側の端部に狭ピッチ電極指部を有し、
前記第１の弾性表面波フィルタの第１，第３のＩＤＴの狭ピッチ電極指部の電極指ピッチをＰ１、該狭ピッチ電極指部の電極指の本数をｎ１、第２の弾性表面波フィルタの第１，第３のＩＤＴの狭ピッチ電極指部の電極指ピッチをＰ２、該狭ピッチ電極指部の電極指の本数をｎ２としたときに、下記の条件（１）〜（７）から選択されたいずれかの条件を満たすように構成されていることを特徴とする、弾性表面波フィルタ装置。
n1=n2=3本、0.984＜P1/P2＜0.994          条件（１）
n1=n2=4本、0.988＜P1/P2＜0.993          条件（２）
n1=4本、n2=3本、1.010＜P1/P2＜1.021    条件（３）
n1=5本、n2=3本、1.026＜P1/P2＜1.037    条件（４）
n1=6本、n2=3本、1.037＜P1/P2＜1.047    条件（５）
n1=5本、n2=4本、1.004＜P1/P2＜1.010    条件（６）
n1=6本、n2=4本、1.015＜P1/P2＜1.021    条件（７）
【請求項２】
圧電基板と、
前記圧電基板上において、弾性表面波伝搬方向に沿って配置された３個のＩＤＴを有する３ＩＤＴ型の縦結合共振子型の第１の弾性表面波フィルタと、
前記圧電基板上において弾性表面波伝搬方向に沿って配置された３個のＩＤＴを有する３ＩＤＴ型の縦結合共振子型の第２の弾性表面波フィルタとを備え、
前記第１の弾性表面波フィルタの第２のＩＤＴが第１の入出力端子に、第２の弾性表面波フィルタの第２のＩＤＴが第２の入出力端子に接続されており、
前記第１の弾性表面波フィルタの第１，第３のＩＤＴが前記第２の弾性表面波フィルタの第１，第３のＩＤＴにそれぞれカスケ−ド接続されており、
前記第１，第２の弾性表面波フィルタの各第１，第３のＩＤＴは、第２のＩＤＴに隣接する側の端部に狭ピッチ電極指部を有し、
前記第１の弾性表面波フィルタの第１，第３のＩＤＴの狭ピッチ電極指部の電極指ピッチをＰ１、該狭ピッチ電極指部の電極指の本数をｎ１、第２の弾性表面波フィルタの第１，第３のＩＤＴの狭ピッチ電極指部の電極指ピッチをＰ２、該狭ピッチ電極指部の電極指の本数をｎ２としたときに、下記の条件（８）〜（１４）から選択されたいずれかの条件を満たすように第１，第３のＩＤＴが構成されていることを特徴とする、弾性表面波フィルタ装置。
n1=n2=3本、1/0.984＞P1/P2＞1/0.994          条件（８）
n1=n2=4本、1/0.988＞P1/P2＞1/0.993          条件（９）
n2=4本、n1=3本、1/1.010＞P1/P2＞1/1.021    条件（１０）
n2=5本、n1=3本、1/1.026＞P1/P2＞1/1.037    条件（１１）
n2=6本、n1=3本、1/1.037＞P1/P2＞1/1.047    条件（１２）
n2=5本、n1=4本、1/1.004＞P1/P2＞1/1.010    条件（１３）
n2=6本、n1=4本、1/1.015＞P1/P2＞1/1.021    条件（１４）
【請求項３】
前記第１の弾性表面波フィルタの第１，第３のＩＤＴの狭ピッチ電極指部以外の電極指の本数が、前記第２の弾性表面波フィルタの前記第１，第３のＩＤＴの狭ピッチ電極指部以外の電極指の本数と等しくされている、請求項１または２に記載の弾性表面波フィルタ装置。
【請求項４】
前記第１の入出力端子が不平衡信号端子であり、前記第２の弾性表面波フィルタの第２のＩＤＴの互いに間挿しているくし歯電極がそれぞれ第１，第２の平衡信号端子に接続され、それによって平衡−不平衡変換機能を有するように構成されている、請求項１〜３のいずれか１項に記載の弾性表面波フィルタ装置。
【請求項５】
前記第２の弾性表面波フィルタの第２のＩＤＴが、表面波伝搬方向に分割されて設けられており、かつ互いに直列に接続された第１，第２の分割ＩＤＴ部を有し、第１，第２の分割ＩＤＴ部が、それぞれ、第１，第２の平衡信号端子に接続されている、請求項４に記載の弾性表面波フィルタ装置。
【請求項６】
圧電基板と、
前記圧電基板上において、表面波伝搬方向に沿って配置された第１〜第３のＩＤＴをそれぞれ有する、３ＩＤＴ型の縦結合共振子型の第１〜第４の弾性表面波フィルタとを備え、
第１の弾性表面波フィルタの第１，第３のＩＤＴが、前記第２の弾性表面波フィルタの第１，第３のＩＤＴに第１，第２の信号ラインにより接続されており、
前記第３の弾性表面波フィルタの第１，第３のＩＤＴが、第４の弾性表面波フィルタの第１，第３のＩＤＴに第３，第４の信号ラインにより接続されており、
前記第１，第３の弾性表面波フィルタの第２のＩＤＴが不平衡信号端子に接続されており、第２の弾性表面波フィルタの第２のＩＤＴが第１の平衡信号端子に、第４の弾性表面波フィルタの第２のＩＤＴが第２の平衡信号端子に接続されており、
第１〜第４の弾性表面波フィルタの１つの弾性表面波フィルタにおける入力信号に対する出力信号の位相が、残りの３個の弾性表面波フィルタにおける入力信号に対する出力信号の位相と１８０度異なるように第１〜第４の弾性表面波フィルタの各ＩＤＴが配置されており、
第１〜第４の弾性表面波フィルタの第１，第３のＩＤＴは、それぞれの第２のＩＤＴに隣接する側の端部に狭ピッチ電極指部を有し、
前記第１の弾性表面波フィルタの第１，第３のＩＤＴの狭ピッチ電極指部の電極指ピッチをＰ１、該狭ピッチ電極指部の電極指の本数をｎ１、前記第２の弾性表面波フィルタの第１，第３のＩＤＴの狭ピッチ電極指部の電極指ピッチをＰ２、該狭ピッチ電極指部の電極指の本数をｎ２、前記第３の弾性表面波フィルタの第１，第３のＩＤＴの狭ピッチ電極指部の電極指ピッチをＰ３、該狭ピッチ電極指部の電極指の本数をｎ３、前記第４の弾性表面波フィルタの第１，第３のＩＤＴの狭ピッチ電極指部の電極指ピッチをＰ４、該狭ピッチ電極指部の電極指の本数をｎ４とした場合、ｎ１＝ｎ３、ｎ２＝ｎ４、Ｐ１＝Ｐ３及びＰ２＝Ｐ４とされており、かつ下記の条件（１）〜（７）から選択されたいずれかの条件を満たすように構成されていることを特徴とする、弾性表面波フィルタ装置。
n1=n2=3本、0.984＜P1/P2＜0.994          条件（１）
n1=n2=4本、0.988＜P1/P2＜0.993          条件（２）
n1=4本、n2=3本、1.010＜P1/P2＜1.021    条件（３）
n1=5本、n2=3本、1.026＜P1/P2＜1.037    条件（４）
n1=6本、n2=3本、1.037＜P1/P2＜1.047    条件（５）
n1=5本、n2=4本、1.004＜P1/P2＜1.010    条件（６）
n1=6本、n2=4本、1.015＜P1/P2＜1.021    条件（７）
【請求項７】
圧電基板と、
前記圧電基板上において、表面波伝搬方向に沿って配置された第１〜第３のＩＤＴをそれぞれ有する、３ＩＤＴ型の縦結合共振子型の第１〜第４の弾性表面波フィルタとを備え、
第１の弾性表面波フィルタの第１，第３のＩＤＴが、前記第２の弾性表面波フィルタの第１，第３のＩＤＴに第１，第２の信号ラインにより接続されており、
前記第３の弾性表面波フィルタの第１，第３のＩＤＴが、第４の弾性表面波フィルタの第１，第３のＩＤＴに第３，第４の信号ラインにより接続されており、
前記第１，第３の弾性表面波フィルタの第２のＩＤＴが不平衡信号端子に接続されており、第２の弾性表面波フィルタの第２のＩＤＴが第１の平衡信号端子に、第４の弾性表面波フィルタの第２のＩＤＴが第２の平衡信号端子に接続されており、
第１〜第４の弾性表面波フィルタの１つの弾性表面波フィルタにおける入力信号に対する出力信号の位相が、残りの３個の弾性表面波フィルタにおける入力信号に対する出力信号位相と１８０度異なるように第１〜第４の弾性表面波フィルタの各ＩＤＴが配置されており、
第１〜第４の弾性表面波フィルタの第１，第３のＩＤＴは、それぞれの第２のＩＤＴに隣接する側の端部に狭ピッチ電極指部を有し、
前記第１の弾性表面波フィルタの第１，第３のＩＤＴの狭ピッチ電極指部の電極指ピッチをＰ１、該狭ピッチ電極指部の電極指の本数をｎ１、前記第２の弾性表面波フィルタの第１，第３のＩＤＴの狭ピッチ電極指部の電極指ピッチをＰ２、該狭ピッチ電極指部の電極指の本数をｎ２、前記第３の弾性表面波フィルタの第１，第３のＩＤＴの狭ピッチ電極指部の電極指ピッチをＰ３、該狭ピッチ電極指部の電極指の本数をｎ３、前記第４の弾性表面波フィルタの第１，第３のＩＤＴの狭ピッチ電極指部の電極指ピッチをＰ４、該狭ピッチ電極指部の電極指の本数をｎ４、とした場合、ｎ１＝ｎ３、ｎ２＝ｎ４、Ｐ１＝Ｐ３及びＰ２＝Ｐ４とされており、かつ下記の条件（８）〜（１４）から選択されたいずれかの条件を満たすように構成されていることを特徴とする、弾性表面波フィルタ装置。
n1=n2=3本、1/0.984＞P1/P2＞1/0.994          条件（８）
n1=n2=4本、1/0.988＞P1/P2＞1/0.993          条件（９）
n2=4本、n1=3本、1/1.010＞P1/P2＞1/1.021    条件（１０）
n2=5本、n1=3本、1/1.026＞P1/P2＞1/1.037    条件（１１）
n2=6本、n1=3本、1/1.037＞P1/P2＞1/1.047    条件（１２）
n2=5本、n1=4本、1/1.004＞P1/P2＞1/1.010    条件（１３）
n2=6本、n1=4本、1/1.015＞P1/P2＞1/1.021    条件（１４）
【請求項８】
前記第１，第３のＩＤＴの前記狭ピッチ電極指部以外の電極指部の電極指の本数及び電極指ピッチが、第１〜第４の弾性表面波フィルタにおいて等しくされていることを特徴とする、請求項６または７に記載の弾性表面波フィルタ装置。
【発明の詳細な説明】
【技術分野】
【０００１】
本発明は、縦結合共振子型の弾性表面波フィルタ装置に関し、より詳細には少なくとも２段の弾性表面波フィルタが縦続接続された構造を有する縦結合共振子型の弾性表面波フィルタ装置に関する。
【背景技術】
【０００２】
従来、移動体通信機器の帯域フィルタとして、弾性表面波フィルタ装置が広く用いられている。この種の弾性表面波フィルタ装置の一例として、第１，第２の弾性表面波フィルタをカスケ−ド接続してなる弾性表面波フィルタ装置が知られている。第１，第２の弾性表面波フィルタをカスケ−ド接続してなる弾性表面波フィルタ装置では、第１の弾性表面波フィルタ及び第２の弾性表面波フィルタのＩＤＴの電極指の本数や交叉幅などの設計パラメ−タは同一とされている。そのため、入力インピ−ダンスＺ１と、出力インピ−ダンスＺ２との比Ｚ１／Ｚ２は１に限定されていた。【０００３】
近年、弾性表面波フィルタ装置の前段や後段に接続される電子部品装置とのインピ−ダンスマッチングを図るために、入出力インピ−ダンス比Ｚ１／Ｚ２を１以外の値にすることが求められることがある。下記の特許文献１には、このような要求を満たすものとして、図９に示す弾性表面波フィルタ装置が開示されている。【０００４】
図９に示す弾性表面波フィルタ装置１００では、圧電基板上に図示の電極構造が形成されている。第１の弾性表面波フィルタ１０１と、第２の弾性表面波フィルタ装置１０２とがカスケ−ド接続されている。第１の弾性表面波フィルタ１０１は、第１〜第３のＩＤＴ１１１〜１１３と、ＩＤＴ１１１〜１１３の設けられている領域の表面波伝搬方向両側に配置された反射器１１４ａ，１１４ｂとを有する、３ＩＤＴ型の縦結合共振子型の弾性表面波フィルタである。【０００５】
第２の弾性表面波フィルタ１０２もまた、ＩＤＴ１１５〜１１７と、反射器１１８ａ，１１８ｂとを有する、３ＩＤＴ型の縦結合共振子型の弾性表面波フィルタである。ここでは、第１の弾性表面波フィルタ１０１の第１，第３のＩＤＴ１１１，１１３が、第２の弾性表面波フィルタ１０２の第１，第３のＩＤＴ１１５，１１７に信号ライン１０３，１０４により接続されている。なお、第２のＩＤＴ１１２及び第２のＩＤＴ１１６が、それぞれ、入力端子及び出力端子に接続されている。【０００６】
上記弾性表面波フィルタ装置１００では、第１の弾性表面波フィルタ１０１におけるＩＤＴ１１１〜１１３の電極指交叉幅が、第２の弾性表面波フィルタ１０２のＩＤＴ１１５〜１１７の電極指交叉幅と異ならされており、それによって入出力インピ−ダンスＺ１／Ｚ２が１以外の値とされている。
【特許文献１】特開平９−３２１５７４号公報
【発明の開示】
【０００７】
しかしながら、図９に示した弾性表面波フィルタ装置１００では、第１の弾性表面波フィルタ１０１の電極指交叉幅と、第２の弾性表面波フィルタ１０２の電極指交叉幅とを異ならせることにより入出力インピ−ダンス比Ｚ１／Ｚ２が１以外の値とされていたため、上記カスケ−ド接続部においてインピ−ダンスのミスマッチングが起こらざるを得なかった。その結果、通過帯域内における挿入損失が悪化し、かつ通過帯域内におけるＶＳＷＲ特性が悪化するという問題があった。
【０００８】
本発明の目的は、上述した従来技術の欠点を解消し、通過帯域内における挿入損失やＶＳＷＲ特性の劣化をほとんど招くことなく、第１，第２の弾性表面フィルタがカスケ−ド接続されており、入力インピ−ダンスと出力インピ−ダンスの比であるインピ−ダンス比を１以上の値とすることができる弾性表面波フィルタ装置を提供することにある。
【０００９】
本願の第１の発明によれば、圧電基板と、前記圧電基板上において、弾性表面波伝搬方向に沿って配置された３個のＩＤＴを有する３ＩＤＴ型の縦結合共振子型の第１の弾性表面波フィルタと、前記圧電基板上において弾性表面波伝搬方向に沿って配置された３個のＩＤＴを有する３ＩＤＴ型の縦結合共振子型の第２の弾性表面波フィルタとを備え、前記第１の弾性表面波フィルタの第２のＩＤＴが第１の入出力端子に、第２の弾性表面波フィルタの第２のＩＤＴが第２の入出力端子に接続されており、前記第１の弾性表面波フィルタの第１，第３のＩＤＴが前記第２の弾性表面波フィルタの第１，第３のＩＤＴにそれぞれカスケ−ド接続されており、前記第１，第２の弾性表面波フィルタの各第１，第３のＩＤＴは、第２のＩＤＴに隣接する側の端部に狭ピッチ電極指部を有し、前記第１の弾性表面波フィルタの第１，第３のＩＤＴの狭ピッチ電極指部の電極指ピッチをＰ１、該狭ピッチ電極指部の電極指の本数をｎ１、第２の弾性表面波フィルタの第１，第３のＩＤＴの狭ピッチ電極指部の電極指ピッチをＰ２、該狭ピッチ電極指部の電極指の本数をｎ２としたときに、下記の条件（１）〜（７）から選択されたいずれかの条件を満たすように構成されていることを特徴とする、弾性表面波フィルタ装置が提供される。
n1=n2=3本、0.984＜P1/P2＜0.994          条件（１）
n1=n2=4本、0.988＜P1/P2＜0.993          条件（２）
n1=4本、n2=3本、1.010＜P1/P2＜1.021    条件（３）
n1=5本、n2=3本、1.026＜P1/P2＜1.037    条件（４）
n1=6本、n2=3本、1.037＜P1/P2＜1.047    条件（５）
n1=5本、n2=4本、1.004＜P1/P2＜1.010    条件（６）
n1=6本、n2=4本、1.015＜P1/P2＜1.021    条件（７）
【００１０】
本願の第２の発明によれば、圧電基板と、前記圧電基板上において、弾性表面波伝搬方向に沿って配置された３個のＩＤＴを有する３ＩＤＴ型の縦結合共振子型の第１の弾性表面波フィルタと、前記圧電基板上において弾性表面波伝搬方向に沿って配置された３個のＩＤＴを有する３ＩＤＴ型の縦結合共振子型の第２の弾性表面波フィルタとを備え、前記第１の弾性表面波フィルタの第２のＩＤＴが第１の入出力端子に、第２の弾性表面波フィルタの第２のＩＤＴが第２の入出力端子に接続されており、前記第１の弾性表面波フィルタの第１，第３のＩＤＴが前記第２の弾性表面波フィルタの第１，第３のＩＤＴにそれぞれカスケ−ド接続されており、前記第１，第２の弾性表面波フィルタの各第１，第３のＩＤＴは、第２のＩＤＴに隣接する側の端部に狭ピッチ電極指部を有し、前記第１の弾性表面波フィルタの第１，第３のＩＤＴの狭ピッチ電極指部の電極指ピッチをＰ１、該狭ピッチ電極指部の電極指の本数をｎ１、第２の弾性表面波フィルタ部の第１，第３のＩＤＴの狭ピッチ電極指部の電極指ピッチをＰ２、該狭ピッチ電極指部の電極指の本数をｎ２としたときに、下記の条件（８）〜（１４）から選択されたいずれかの条件を満たすように第１，第３のＩＤＴが構成されていることを特徴とする、弾性表面波フィルタ装置が提供される。
n1=n2=3本、1/0.984＞P1/P2＞1/0.994          条件（８）
n1=n2=4本、1/0.988＞P1/P2＞1/0.993          条件（９）
n2=4本、n1=3本、1/1.010＞P1/P2＞1/1.021    条件（１０） 
n2=5本、n1=3本、1/1.026＞P1/P2＞1/1.037    条件（１１） 
n2=6本、n1=3本、1/1.037＞P1/P2＞1/1.047    条件（１２） 
n2=5本、n1=4本、1/1.004＞P1/P2＞1/1.010    条件（１３） 
n2=6本、n1=4本、1/1.015＞P1/P2＞1/1.021    条件（１４） 
【００１１】
第１，第２の発明のある特定の局面では、前記第１の弾性表面波フィルタの第１，第３のＩＤＴの狭ピッチ電極指部以外の電極指の本数が、前記第２の弾性表面波フィルタの前記第１，第３のＩＤＴの狭ピッチ電極指部以外の電極指の本数と等しくされている。
【００１２】
第１，第２の発明の他の特定の局面では、第１の入出力端子が不平衡信号端子であり、前記第２の弾性表面波フィルタの第２のＩＤＴの互いに間挿しているくし歯電極がそれぞれ第１，第２の平衡信号端子に接続され、それによって平衡−不平衡変換機能を有するように構成されている。
第１，第２の発明のさらに他の特定の局面では、前記第２の弾性表面波フィルタの第２のＩＤＴが、表面波伝搬方向に分割されて設けられており、かつ互いに直列に接続された第１，第２の分割ＩＤＴ部を有し、第１，第２の分割ＩＤＴ部が、それぞれ、第１，第２の平衡信号端子に接続されている。
【００１３】
本願の第３の発明によれば、圧電基板と、前記圧電基板上において、表面波伝搬方向に沿って配置された第１〜第３のＩＤＴをそれぞれ有する、３ＩＤＴ型の縦結合共振子型の第１〜第４の弾性表面波フィルタとを備え、第１の弾性表面波フィルタの第１，第３のＩＤＴが、前記第２の弾性表面波フィルタの第１，第３のＩＤＴに第１，第２の信号ラインにより接続されており、前記第３の弾性表面波フィルタの第１，第３のＩＤＴが、第４の弾性表面波フィルタの第１，第３のＩＤＴに第３，第４の信号ラインにより接続されており、前記第１，第３の弾性表面波フィルタの第２のＩＤＴが不平衡信号端子に接続されており、第２の弾性表面波フィルタの第２のＩＤＴが第１の平衡信号端子に、第４の弾性表面波フィルタの第２のＩＤＴが第２の平衡信号端子に接続されており、第１〜第４の弾性表面波フィルタの１つの弾性表面波フィルタにおける入力信号に対する出力信号の位相が、残りの３個の弾性表面波フィルタにおける入力信号に対する出力信号の位相と１８０度異なるように第１〜第４の弾性表面波フィルタの各ＩＤＴが配置されており、第１〜第４の弾性表面波フィルタの第１，第３のＩＤＴは、それぞれの第２のＩＤＴに隣接する側の端部に狭ピッチ電極指部を有し、前記第１の弾性表面波フィルタの第１，第３のＩＤＴの狭ピッチ電極指部の電極指ピッチをＰ１、該狭ピッチ電極指部の電極指の本数をｎ１、前記第２の弾性表面波フィルタの第１，第３のＩＤＴの狭ピッチ電極指部の電極指ピッチをＰ２、該狭ピッチ電極指部の電極指の本数をｎ２、前記第３の弾性表面波フィルタの第１，第３のＩＤＴの狭ピッチ電極指部の電極指ピッチをＰ３、該狭ピッチ電極指部の電極指の本数をｎ３、前記第４の弾性表面波フィルタの第１，第３のＩＤＴの狭ピッチ電極指部の電極指ピッチをＰ４、該狭ピッチ電極指部の電極指の本数をｎ４とした場合、ｎ１＝ｎ３、ｎ２＝ｎ４、Ｐ１＝Ｐ３及びＰ２＝Ｐ４とされており、かつ上述した条件（１）〜（７）から選択されたいずれかの条件を満たすように構成されていることを特徴とする、弾性表面波フィルタ装置が提供される。
【００１４】
第４の発明によれば、圧電基板と、前記圧電基板上において、表面波伝搬方向に沿って配置された第１〜第３のＩＤＴをそれぞれ有する、３ＩＤＴ型の縦結合共振子型の第１〜第４の弾性表面波フィルタとを備え、第１の弾性表面波フィルタの第１，第３のＩＤＴが、前記第２の弾性表面波フィルタの第１，第３のＩＤＴに第１，第２の信号ラインにより接続されており、前記第３の弾性表面波フィルタの第１，第３のＩＤＴが、第４の弾性表面波フィルタの第１，第３のＩＤＴに第３，第４の信号ラインにより接続されており、前記第１，第３の弾性表面波フィルタの第２のＩＤＴが不平衡信号端子に接続されており、第２の弾性表面波フィルタの第２のＩＤＴが第１の平衡信号端子に、第４の弾性表面波フィルタの第２のＩＤＴが第２の平衡信号端子に接続されており、第１〜第４の弾性表面波フィルタの１つの弾性表面波フィルタにおける入力信号に対する出力信号の位相が、残りの３個の弾性表面波フィルタにおける入力信号に対する出力信号位相と１８０度異なるように第１〜第４の弾性表面波フィルタの各ＩＤＴが配置されており、第１〜第４の弾性表面波フィルタの第１，第３のＩＤＴは、それぞれの第２のＩＤＴに隣接する側の端部に狭ピッチ電極指部を有し、前記第１の弾性表面波フィルタの第１，第３のＩＤＴの狭ピッチ電極指部の電極指ピッチをＰ１、該狭ピッチ電極指部の電極指の本数をｎ１、前記第２の弾性表面波フィルタの第１，第３のＩＤＴの狭ピッチ電極指部の電極指ピッチをＰ２、該狭ピッチ電極指部の電極指の本数をｎ２、前記第３の弾性表面波フィルタの第１，第３のＩＤＴの狭ピッチ電極指部の電極指ピッチをＰ３、該狭ピッチ電極指部の電極指の本数をｎ３、前記第４の弾性表面波フィルタの第１，第３のＩＤＴの狭ピッチ電極指部の電極指ピッチをＰ４、該狭ピッチ電極指部の電極指の本数をｎ４とした場合、ｎ１＝ｎ３、ｎ２＝ｎ４、Ｐ１＝Ｐ３及びＰ２＝Ｐ４とされており、かつ上述した条件（８）〜（１４）から選択されたいずれかの条件を満たすように構成されていることを特徴とする、弾性表面波フィルタ装置が提供される。
【００１５】
第３，第４の発明のある特定の局面では、前記第１，第３のＩＤＴの前記狭ピッチ電極指部以外の電極指部の電極指の本数及び電極指ピッチが、第１〜第４の弾性表面波フィルタにおいて等しくされている。
【００１６】
（発明の効果）
第１の発明に係る弾性表面波フィルタ装置では、第１の弾性表面波フィルタの第１，第３のＩＤＴが、第２の弾性表面波フィルタの第１，第３のＩＤＴに接続されて、第１，第３の弾性表面波フィルタがカスケ−ド接続されている。そして、第１の弾性表面波フィルタの第１，第３のＩＤＴの狭ピッチ電極指部の電極指ピッチＰ１及び電極指の本数ｎ１、第２の弾性表面波フィルタの第１，第３のＩＤＴの狭ピッチ電極指部の電極指ピッチＰ２及び電極指の本数ｎ２が、前述した条件（１）〜（７）のいずれかを満たすように上記第１，第２の弾性表面波フィルタ第１，第３のＩＤＴが構成されているため、通過帯域内におけるＶＳＷＲや挿入損失の劣化をほとんど招くことなく、入力インピ−ダンスと出力インピ−ダンスとのインピ−ダンス比Ｚ１／Ｚ２を１よりも大きな値とすることができる。すなわち、入出力インピ−ダンス比Ｚ１／Ｚ２を、後述の実験例より明らかなように、１．０５よりも大きい範囲で様々な値に設定することができる。
【００１７】
第２の発明に係る弾性表面波フィルタ装置では、第１の弾性表面波フィルタの第１，第３のＩＤＴが、第２の弾性表面波フィルタの第１，第３のＩＤＴに接続されて、第１，第２の弾性表面波フィルタがカスケ−ド接続されている。そして、第１の弾性表面波フィルタの第１，第３のＩＤＴの狭ピッチ電極指部の電極指ピッチＰ１及び電極指の本数ｎ１、第２の弾性表面波フィルタの第１，第３のＩＤＴの狭ピッチ電極指部の電極指ピッチＰ２及び電極指の本数ｎ２が、前述した条件（８）〜（１４）のいずれかを満たすように上記第１，第２の弾性表面波フィルタの第１，第３のＩＤＴが構成されているため、通過帯域内におけるＶＳＷＲや挿入損失の劣化をほとんど招くことなく、入力インピ−ダンスと出力インピ−ダンスとのインピ−ダンス比Ｚ１／Ｚ２を１よりも小さい方向で、１以外の値とすることができる。すなわち、後述の実験例より裏付けられるように、インピ−ダンス比Ｚ１／Ｚ２を、１よりも小さいインピ−ダンス比の範囲で様々な値に設定することができる。
【００１８】
第１の弾性表面波フィルタの第２のＩＤＴが接続されている第１の入出力端子が不平衡信号端子であり、第２の弾性表面波フィルタの第２のＩＤＴが接続されている第２の入出力端子が第１，第２の平衡信号端子である場合には、本発明に従った弾性表面波フィルタ装置であって、しかも平衡−不平衡変換機能を有する弾性表面波フィルタ装置を提供することができる。この場合、本発明によれば、平衡信号端子側のインピ−ダンスと、不平衡信号端子側のインピ−ダンスとの比を１対１以外の値とすることができる。
【００１９】
本発明に係る弾性表面波フィルタ装置において、第２の弾性表面波フィルタの第２のＩＤＴが、第１，第２の分割ＩＤＴ部を有し、第１，第２の分割ＩＤＴ部が、それぞれ、前記第１，第２の平衡信号端子に接続されている場合には、上記第１，第２の分割ＩＤＴ部を有する平衡−不平衡変換機能を有する弾性表面波装置を提供することができる。
【００２０】
第３の発明に係る弾性表面波フィルタ装置では、第１，第３の弾性表面波フィルタの第２のＩＤＴが不平衡信号端子に接続されており、第１，第３の弾性表面波フィルタに第２，第４の弾性表面波フィルタがそれぞれカスケ−ド接続されており、第２，第４の弾性表面波フィルタの各第２のＩＤＴがそれぞれ第１，第２の平衡信号端子に接続されており、第１〜第４の弾性表面波フィルタの１つの弾性表面波フィルタにおける入力信号に対する出力信号の位相は、残りの３個の弾性表面波フィルタにおける入力信号に対する出力信号の位相と１８０度異なるように構成されているため、平衡−不平衡変換機能を有し、かつ不平衡信号端子にそれぞれ２段縦続接続型の弾性表面波フィルタを接続してなる弾性表面波フィルタ装置を提供することができる。
【００２１】
そして、第３の発明においては、第１の弾性表面波フィルタの第１，第３のＩＤＴの狭ピッチ電極指部の電極指ピッチＰ１及び電極指の本数ｎ１、第２の弾性表面波フィルタの第１，第３のＩＤＴの狭ピッチ電極指部の電極指ピッチＰ２及び電極指の本数ｎ２、第３の弾性表面波フィルタの第１，第３のＩＤＴの狭ピッチ電極指部の電極指ピッチＰ３及び電極指の本数ｎ３、並びに第４の弾性表面波フィルタの第１，第３のＩＤＴの狭ピッチ電極指部の電極指ピッチＰ４及び電極指の本数ｎ４において、ｎ１＝ｎ３、ｎ２＝ｎ４、Ｐ１＝Ｐ３及びＰ２＝Ｐ４とされており、かつ前述した条件（１）〜（７）から選択されたいずれかの条件を満たすように構成されているため、通過帯域内における挿入損失及びＶＳＷＲの劣化をほとんど招くことなく、平衡−不平衡変換機能を有し、しかも不平衡端子のインピ−ダンスＺＢと平衡端子のインピ−ダンスＺＡとの比ＺＢ／ＺＡを１／４よりも大きな値とすることが可能な弾性表面波フィルタ装置を提供することができる。
【００２２】
第４の発明に係る弾性表面波フィルタ装置では、第１，第３の弾性表面波フィルタの第２のＩＤＴが不平衡信号端子に接続されており、第１，第３の弾性表面波フィルタに第２，第４の弾性表面波フィルタがそれぞれカスケ−ド接続されており、第２，第４の弾性表面波フィルタの各第２のＩＤＴがそれぞれ第１，第２の平衡信号端子に接続されており、第１〜第４の弾性表面波フィルタの１つの弾性表面波フィルタにおける入力信号に対する出力信号の位相は、残りの３個の弾性表面波フィルタにおける入力信号に対する出力信号の位相と１８０度異なるように構成されているため、平衡−不平衡変換機能を有し、かつ不平衡信号端子にそれぞれ２段縦続接続型の弾性表面波フィルタを接続してなる弾性表面波フィルタ装置を提供することができる。
【００２３】
そして、第４の発明においては、第１の弾性表面波フィルタの第１，第３のＩＤＴの狭ピッチ電極指部の電極指ピッチＰ１及び電極指の本数ｎ１、第２の弾性表面波フィルタの第１，第３のＩＤＴの狭ピッチ電極指部の電極指ピッチＰ２及び電極指の本数ｎ２、第３の弾性表面波フィルタの第１，第３のＩＤＴの狭ピッチ電極指部の電極指ピッチＰ３及び電極指の本数ｎ３、並びに第４の弾性表面波フィルタの第１，第３のＩＤＴの狭ピッチ電極指部の電極指ピッチＰ４及び電極指の本数ｎ４において、ｎ１＝ｎ３、ｎ２＝ｎ４、Ｐ１＝Ｐ３及びＰ２＝Ｐ４とされており、かつ前述した条件（８）〜（１４）から選択されたいずれかの条件を満たすように構成されているため、通過帯域内における挿入損失及びＶＳＷＲの劣化をほとんど招くことなく、平衡−不平衡変換機能を有し、しかも不平衡端子のインピ−ダンスＺＢと平衡端子のインピ−ダンスＺＡとの比ＺＢ／ＺＡを１／４より小さい値に設定することが可能な弾性表面波フィルタ装置を提供することができる。
【図面の簡単な説明】
【００２４】
【図１】図１は、本発明の実施形態に係る弾性表面波フィルタ装置の模式的平面図である。
【図２】図２は、図１に示した弾性表面波フィルタ装置において、第２の弾性表面波フィルタの第１，第３のＩＤＴの狭ピッチ電極指部の電極指の本数ｎ２を３とし、第１の弾性表面波フィルタの第１，第３のＩＤＴの狭ピッチ電極指部の電極指の本数ｎ１と、狭ピッチ電極指部の電極指ピッチの比Ｐ１／Ｐ２を変化させた場合の入出力インピ−ダンス比Ｚ１／Ｚ２の変化を示す図である。
【図３】図３は、図１に示した弾性表面波フィルタ装置において、第２の弾性表面波フィルタの第１，第３のＩＤＴの狭ピッチ電極指部の電極指の本数ｎ２を４とし、第１の弾性表面波フィルタの第１，第３のＩＤＴの狭ピッチ電極指部の電極指の本数ｎ１と、狭ピッチ電極指部の電極指ピッチの比Ｐ１／Ｐ２とを変化させた場合の入出力インピ−ダンス比Ｚ１／Ｚ２の変化を示す図である。
【図４】図４は、図１に示した弾性表面波フィルタ装置において、第２の弾性表面波フィルタの第１，第３のＩＤＴの狭ピッチ電極指部の電極指の本数ｎ２を５とし、第１の弾性表面波フィルタの第１，第３のＩＤＴの狭ピッチ電極指部の電極指の本数ｎ１と、狭ピッチ電極指部の電極指ピッチの比Ｐ１／Ｐ２とを変化させた場合の入出力インピ−ダンス比Ｚ１／Ｚ２の変化を示す図である。
【図５】図５は、図１に示した弾性表面波フィルタ装置において、第２の弾性表面波フィルタの第１，第３のＩＤＴの狭ピッチ電極指部の電極指の本数ｎ２を６とし、第１の弾性表面波フィルタの第１，第３のＩＤＴの狭ピッチ電極指部の電極指の本数ｎ１と、狭ピッチ電極指部の電極指ピッチの比Ｐ１／Ｐ２とを変化させた場合の入出力インピ−ダンス比Ｚ１／Ｚ２の変化を示す図である。
【図６】図６は、図１に示した実施形態の変形例に係る弾性表面波フィルタ装置の電極構造を示す模式的平面図である。
【図７】図７は、図１に示した実施形態の他の変形例に係る弾性表面波フィルタ装置の電極構造を示す模式的平面図である。
【図８】図８は、図１に示した実施形態のさらに他の変形例に係る弾性表面波フィルタ装置の電極構造を示す模式的平面図である。
【図９】図９は、従来の弾性表面波フィルタ装置の電極構造を示す模式的平面図である。
【符号の説明】
【００２５】
１…弾性表面波フィルタ装置
２…圧電基板
３…第１の弾性表面波フィルタ
４…第２の弾性表面波フィルタ
４Ａ…第２の弾性表面波フィルタ
５…入力端子
５Ａ…不平衡信号端子
６…出力端子
６Ａ，６Ｂ…第１，第２の平衡信号端子
６Ｃ，６Ｄ…第１，第２の平衡信号端子
７，８…第１，第２の信号ライン
１１〜１３…第１〜第３のＩＤＴ
１４ａ，１４ｂ…反射器
１５〜１７…第１〜第３のＩＤＴ
１８ａ，１８ｂ…反射器
２１…弾性表面波フィルタ装置
３１…弾性表面波フィルタ装置
３２，３３…第１，第２の分割ＩＤＴ部
５１…弾性表面波フィルタ装置
５２…圧電基板
５３…不平衡信号端子
５４，５５…第１，第２の平衡信号端子
５６〜５９…第１〜第４の弾性表面波フィルタ
６１〜６３…第１〜第３のＩＤＴ
６４ａ，６４ｂ…反射器
６５〜６７…第１〜第３のＩＤＴ
６８ａ，６８ｂ…反射器
７１〜７３…第１〜第３のＩＤＴ
７４ａ，７４ｂ…反射器
７５〜７７…第１〜第３のＩＤＴ
７８ａ，７８ｂ…反射器
８１〜８４…信号ライン
Ｎ…狭ピッチ電極指部
【発明を実施するための最良の形態】
【００２６】
以下、図面を参照しつつ本発明の具体的な実施形態を説明することにより、本発明を明らかにする。
図１は本発明の一実施形態に係る弾性表面波フィルタ装置を模式的に示す平面図である。【００２７】
弾性表面波フィルタ装置１は圧電基板２を有する。圧電基板２は、本実施形態では、４０±５°ＹカットＸ伝搬のＬｉＴａＯ３基板である。もっとも、圧電基板は、他の圧電材料により構成されていてもよく、あるいは圧電材料もしくは絶縁材料からなる基板上に圧電薄膜を形成した構造を有していてもよい。
圧電基板２上に、Ａｌにより図示の電極構造を形成することにより弾性表面波フィルタ装置１が得られている。なお、電極は、Ａｌ以外の他の金属もしくは合金により形成されてもよく、あるいは複数の金属膜を積層した構造を有していてもよい。【００２８】
圧電基板２においては、上記電極構造の形成により、第１，第２の弾性表面波フィルタ３，４が形成されている。
第１の弾性表面波フィルタ３は、弾性表面波伝搬方向に配置された第１〜第３のＩＤＴ１１〜１３を有する、３ＩＤＴ型の縦結合共振子型の弾性表面波フィルタである。ＩＤＴ１１〜１３が設けられている領域の表面波伝搬方向両側には反射器１４ａ，１４ｂが配置されている。【００２９】
第２の弾性表面波フィルタ４もまた、表面波伝搬方向に配置された第１〜第３のＩＤＴ１５〜１７を有する３ＩＤＴ型の縦結合共振子型弾性表面波フィルタである。ＩＤＴ１５〜１７が設けられている領域の表面波伝搬方向両側に反射器１８ａ，１８ｂが配置されている。
入力端子５に、第１の弾性表面波フィルタ３の第２のＩＤＴ１２の一端が接続されており、ＩＤＴ１２の他端はア−ス電位に接続されている。ＩＤＴ１２の両側に配置された第１，第３のＩＤＴ１１，１３の各一端がア−ス電位に接続されており、各他端が、それぞれ、第２の弾性表面波フィルタ４の第１，第３のＩＤＴ１５，１７の一端に第１，第２の信号ライン７，８により電気的に接続されている。また、ＩＤＴ１５，１７の他端はア−ス電位に接続されている。第２のＩＤＴ１６の一端がア−ス電位に接続されており、他端が出力端子６に接続されている。【００３０】
従って、第１の弾性表面波フィルタ３と第２の弾性表面波フィルタ４とは、ＩＤＴ１１，１３とＩＤＴ１５，１７とを第１，第２の信号ライン７，８によりそれぞれ接続することにより、カスケ−ド接続されている。
また、第１，第２の弾性表面波フィルタ３，４においては、ＩＤＴ同士が隣接する部分に狭ピッチ電極指部Ｎが設けられている。【００３１】
例えば、ＩＤＴ１１とＩＤＴ１２とがギャップを隔てて隣り合っている部分ではＩＤＴ１１のＩＤＴ１２側の最外側電極指を含む複数本の電極指の電極指ピッチが、ＩＤＴ１１の残りの部分の電極指ピッチよりも狭くされており、それによって電極指ピッチが相対的に狭い狭ピッチ電極指部Ｎが設けられている。同様に、ＩＤＴ１２のＩＤＴ１１側端部においても、狭ピッチ電極指部Ｎが設けられている。また、ＩＤＴ１２のＩＤＴ１３側の端部及びＩＤＴ１３のＩＤＴ１２側端部にも、それぞれ狭ピッチ電極指部Ｎが設けられている。第２の弾性表面波フィルタ４においても、ＩＤＴ１５，１６が隣り合っている部分、及びＩＤＴ１６，１７が隣り合っている部分において、それぞれ、ＩＤＴ１５〜１７に狭ピッチ電極指部Ｎが設けられている。【００３２】
ＩＤＴ同士が隣り合っている部分に狭ピッチ電極指部Ｎを設けることにより、ＩＤＴ同士が隣り合っている部分における表面波伝搬状態の不連続性を緩和することができ、それによって特性の改善を図ることができる。
加えて、本実施形態では、第１の弾性表面波フィルタ３の第１，第３のＩＤＴ１１，１３の狭ピッチ電極指部の電極指ピッチ及び電極指の本数と、第２の弾性表面波フィルタ４の第１，第３のＩＤＴ１５，１７の狭ピッチ電極指部の電極指ピッチ及び電極指の本数が特定の範囲に設定されており、それによって通過帯域内における挿入損失の劣化及びＶＳＷＲ特性の劣化をほとんど招くことなく、入出力インピ−ダンス比Ｚ１／Ｚ２を１以外の値とすることが可能とされている。これを、具体的な実験例に基づき説明する。【００３３】
いま、入力インピ−ダンスＺ１とは、入力端子５側からみたインピ−ダンスをいうものとし、出力インピ−ダンスＺ２とは、出力端子６側からみたインピ−ダンスをいうものとする。なお、インピ−ダンスとは、弾性表面波フィルタ装置１の通過帯域における特性インピ−ダンスの平均値で表わした値とする。
第１の弾性表面波フィルタ３の第１，第３のＩＤＴ１１，１３の狭ピッチ電極指部の電極指ピッチをＰ１、該狭ピッチ電極指部の電極指部の本数をｎ１、第２の弾性表面波フィルタ４の第１，第３のＩＤＴ１５，１７の狭ピッチ電極指部の電極指ピッチをＰ２、該狭ピッチ電極指部の電極指の本数をｎ２とする。
弾性表面波フィルタ装置１を、下記の表１に示す仕様で作製した。【００３４】
【表１】
2006095570.tif 000002
【００３５】
なお、表１における電極指ピッチＰ１，Ｐ２及び電極指の本数ｎ１，ｎ２は、可変パラメ−タとした。すなわち、Ｐ１，Ｐ２，ｎ１及びｎ２以外の設計パラメ−タについては表１に示す通りとし、上記狭ピッチ電極指部の電極指ピッチＰ１，Ｐ２及び電極指の本数ｎ１，ｎ２を種々変化させ、複数種の弾性表面波フィルタ装置を作製した。このようにして用意された複数種の弾性表面波フィルタ装置の入出力インピ−ダンス比Ｚ１／Ｚ２の変化を図２に示す。【００３６】
なお、図２では、第２の弾性表面波フィルタ４の第１，第３のＩＤＴ１５，１７の狭ピッチ電極指部の電極指の本数ｎ２＝３に固定し、第１の弾性表面波フィルタ３の第１，第３のＩＤＴ１１，１３の狭ピッチ電極指部の電極指の本数ｎ１を３本、４本，５本または６本とし、Ｐ１／Ｐ２の比を種々変化させた場合の入出力インピ−ダンス比Ｚ１／Ｚ２の変化が示されている。
図２から明らかなように狭ピッチ電極指部１１，１３，１５，１７の電極指ピッチ及び電極指の本数を変化させることにより、入出力インピ−ダンス比Ｚ１／Ｚ２を１以外の値に調整し得ることがわかる。また、図２から明らかなように、ｎ１＝３、４、５または６とした場合のいずれにおいても、Ｐ１／Ｐ２の比が大きくなると、Ｚ１／Ｚ２の大きさが小さくなる傾向があることがわかる。【００３７】
他方、図３〜図５は、それぞれ、第２の弾性表面波フィルタ４の第１，第３のＩＤＴ１５，１７の狭ピッチ電極指部の本数ｎ２＝４本、５本または６本に固定し、ｎ１及びＰ１／Ｐ２を変化させた場合の入出力インピ−ダンス比Ｚ１／Ｚ２の変化を示す図である。
なお、ｎ１＝ｘかつｎ２＝ｙのときのＰ１／Ｐ２及びＺ１／Ｚ２の関係は、ｎ１＝ｙかつｎ２＝ｘのときのＰ１／Ｐ２の逆数であるＰ２／Ｐ１と、Ｚ１／Ｚ２の逆数であるＺ２／Ｚ１との関係に等しい。【００３８】
図２〜図５から明らかなように、ｎ１＝ｎ２かつＰ１／Ｐ２＝１の場合、すなわち、第１，第２の弾性表面フィルタ３，４において、第１，第３のＩＤＴ１１，１３と、第１，第３のＩＤＴ１５，１７の狭ピッチ電極指部の電極指ピッチ及び電極指の本数が全て等しい場合には、弾性表面波フィルタ３，４の特性インピ−ダンスは等しくなる。従って、入出力インピ−ダンス比Ｚ１／Ｚ２＝１となる。しかしながら、実際には、入力端子５と出力端子６に寄生するアドミタンス成分は異なっている。従って、実際には、入出力インピ−ダンス比は１から僅かにずれていることもある。しかしながら、このような場合の入出力インピ−ダンス比の１からのズレは、±０．０５の範囲内程度である。【００３９】
これに対して、本実施形態では、上記のように、第１の弾性表面波フィルタ３の第１，第３のＩＤＴ１１，１３の狭ピッチ電極指部Ｎの電極指ピッチＰ１及び電極指の本数ｎ１と、第２の弾性表面波フィルタ４のＩＤＴ１５，１７の狭ピッチ電極指部Ｎの電極指ピッチＰ２及び電極指の本数ｎ２を特定の範囲に設定することにより、Ｚ１／Ｚ２を、より大きく変化させることができ、例えば１．０５より大きくすることができる。
図２〜図５から明らかなように、ｎ１＝ｎ２であり、Ｚ１／Ｚ２が１．０５よりも大きくなる範囲は、下記の条件（１）または（２）の場合であり、その場合、条件（１）及び（２）の右側に示すように、Ｚ１／Ｚ２は１．０５より大きく１．１３または１．１１よりも小さい範囲とされる。【００４０】
条件（１）n1=n2=3本、0.984＜P1/P2＜0.994のとき、1.05＜Z1/Z2＜1.13
条件（２）n1=n2=4本、0.988＜P1/P2＜0.993のとき、1.05＜Z1/Z2＜1.11
また、ｎ１＝ｎ２＝５または６のときには、インピ−ダンス比Ｚ１／Ｚ２を１．０５よりも大きくすることができないことがわかる。
また、ｎ１とｎ２とが等しくない場合には、下記の条件（３）〜（７）のいずれかを満たす場合に、Ｚ１／Ｚ２が１．０５よりも大きくされ得ることがわかる。また、各条件（３）〜（７）の右側に示したようにＺ１／Ｚ２は、１．０５よりも大きく、１．１４、１．１１または１．１０未満の範囲とされ得る。【００４１】
条件（３）n1=4、n2=3本、1.010＜P1/P2＜1.021のとき、1.05＜Z1/Z2＜1.14
条件（４）n1=5、n2=3本、1.026＜P1/P2＜1.037のとき、1.05＜Z1/Z2＜1.14
条件（５）n1=6、n2=3本、1.037＜P1/P2＜1.047のとき、1.05＜Z1/Z2＜1.14
条件（６）n1=5、n2=4本、1.004＜P1/P2＜1.010のとき、1.05＜Z1/Z2＜1.11
条件（７）n1=6、n2=4本、1.015＜P1/P2＜1.021のとき、1.05＜Z1/Z2＜1.10
従って、図２〜図４から明らかなように条件（１）〜（７）のいずれかを満たすように第１，第２の弾性表面波フィルタ３，４の第１，第３のＩＤＴ１１，１３，１５，１７の狭ピッチ電極指部を形成することにより、入出力インピ−ダンス比Ｚ１／Ｚ２を１以外の値とすることができ、特に１．０５よりも大きくし得ることがわかる。【００４２】
そして、本実施形態では、上記のように、狭ピッチ電極指部の電極指のピッチ及び本数を変化させただけであり、第１の弾性表面波フィルタ３の電極指交叉幅と、第２の弾性表面波フィルタ４の電極指交叉幅は等しくされているため、電極指交叉幅を異ならせることによる特性の劣化も生じ難い。すなわち、図９に示した従来の弾性表面波フィルタ装置１００では、第１の弾性表面波フィルタにおける電極指交叉幅と、第２の弾性表面波フィルタにおける電極指交叉幅とを異ならせていたため、カスケ−ド接続されているＩＤＴ同士でインピ−ダンス不整合が生じ、それによってＶＳＷＲの悪化や通過帯域内における挿入損失の劣化が生じていた。これに対して、本実施形態では、カスケ−ド接続されている第１のＩＤＴ１１，１５同士及び第３のＩＤＴ１３，１７同士でインピ−ダンス不整合が生じ難いため、このような通過帯域内におけるＶＳＷＲや挿入損失の劣化は生じ難い。【００４３】
よって、本実施形態によれば、通過帯域内におけるＶＳＷＲや挿入損失の劣化をほとんど招くことなく、入出力インピ−ダンス比Ｚ１／Ｚ２を１以外の値とすることができ、特にＺ１／Ｚ２を１．０５よりも大きくし得ることがわかる。しかも、条件（１）〜（７）を満たすようにして、さらに条件（１）〜（７）内でＰ１／Ｐ２の値と選択することにより、インピ−ダンス比Ｚ１／Ｚ２を細かく設定し得ることがわかる。【００４４】
また、前述したように、ｎ１＝ｘかつｎ２＝ｙのときのＰ１／Ｐ２及びＺ１／Ｚ２の関係は、ｎ１＝ｙかつｎ２＝ｘのときのＰ１／Ｐ２の逆数であるＰ２／Ｐ１と、Ｚ１／Ｚ２の逆数であるＺ２／Ｚ１との関係に等しい。従って、図２及び図５から、下記の条件（８）〜（１４）のいずれかを満たす場合には、インピ−ダンス比Ｚ１／Ｚ２を１よりも小さい値に設定し得ることがわかる。すなわち、下記の条件（８）〜（１４）のいずれかを満たすように構成した場合には、インピ−ダンス比Ｚ１／Ｚ２を１よりも小さい値となるようにして、インピ−ダンス比Ｚ１／Ｚ２を１以外の値とすることができる。
n1=n2=3本、1/0.984＞P1/P2＞1/0.994          条件（８）
n1=n2=4本、1/0.988＞P1/P2＞1/0.993          条件（９）
n2=4本、n1=3本、1/1.010＞P1/P2＞1/1.021    条件（１０）
n2=5本、n1=3本、1/1.026＞P1/P2＞1/1.037    条件（１１）
n2=6本、n1=3本、1/1.037＞P1/P2＞1/1.047    条件（１２）
n2=5本、n1=4本、1/1.004＞P1/P2＞1/1.010    条件（１３）
n2=6本、n1=4本、1/1.015＞P1/P2＞1/1.021    条件（１４）【００４５】
上記実施形態の弾性表面波フィルタ装置１では、入力端子５と出力端子６との間に、第１，第２の弾性表面フィルタ３，４が縦続接続された構造が接続されていた。しかしながら、本発明は、このような構造に限定されるものではなく、様々に変形することができる。
図６は、上記実施形態の弾性表面波フィルタ装置１の変形例に係る弾性表面波フィルタ装置の電極構造を示す模式的平面図である。
図６に示す弾性表面波フィルタ装置２１は、平衡−不平衡変換機能を有する。すなわち、第１の弾性表面波フィルタ３の第２のＩＤＴ１２の一端が不平衡信号端子５Ａに接続されている。他方、第２の弾性表面波フィルタ装置４の第２のＩＤＴ１６の一端が第１の平衡信号端子６Ａに、他端が第２の平衡信号端子６Ｂに接続されている。その他の点については、弾性表面波フィルタ装置２１は弾性表面波フィルタ装置１と同様に構成されているため、同一部分においては同一の参照番号を付することによりその説明を省略する。【００４６】
本変形例のように、不平衡信号端子５Ａと、第１，第３の平衡信号端子６Ａ，６Ｂ間に、第１，第２の弾性表面波フィルタ３，４が接続されてもよく、その場合においても、本発明に従って、例えば入力端子としての不平衡信号端子５Ａと、出力端子としての第１，第２の平衡信号端子６Ａ，６Ｂとのインピ−ダンス比を１から異ならせ、１．０５よりも大きくしたり、１より小さくしたりすることができる。すなわち、平衡−不平衡変換機能を有し、かつインピ−ダンス変換機能を有する弾性表面波フィルタ装置２１を提供することができる。【００４７】
また、図７に示す変形例の弾性表面波フィルタ装置３１のように、第２の弾性表面波フィルタ４Ａにおいて、第２のＩＤＴ１６を表面波伝搬方向に二分割することにより平衡−不平衡変換機能を実現してもよい。ここでは、第２のＩＤＴ１６Ａが表面波伝搬方向に二分割することにより設けられた第１，第２の分割ＩＤＴ部３２，３３を有する。分割ＩＤＴ部３２，３３が、それぞれ、第１，第２の平衡信号端子６Ｃ，６Ｄに接続されている。弾性表面波フィルタ装置３１は第２のＩＤＴ１６Ａが上記のように構成されていることを除いては、図６に示した弾性表面波フィルタ装置２１と同様に構成されている。【００４８】
また、図８は、本発明の弾性表面波フィルタ装置のさらに他の変形例の電極構造を示す模式的平面図である。図８に示す弾性表面波フィルタ装置５１では、圧電基板５２上において、図示の電極構造が形成されており、ここでは、不平衡信号端子５３と、第１，第２の平衡信号端子５４，５５との間に、第１〜第４の弾性表面波フィルタ５６〜５９が接続されている。第１の弾性表面波フィルタ５６は、弾性表面波伝搬方向に配置された第１〜第３のＩＤＴ６１〜６３と、反射器６４ａ，６４ｂとを有する３ＩＤＴ型の縦結合共振子型の弾性表面波フィルタである。
また、第２の弾性表面波フィルタ５７も、同様に第１〜第３のＩＤＴ６５〜６７と、反射器６８ａ，６８ｂとを有する３ＩＤＴ型の縦結合共振子型の弾性表面波フィルタである。【００４９】
そして、第３，第４の弾性表面波フィルタ５８，５９も同様に、第１〜第３のＩＤＴ７１〜７３，７５〜７７と、反射器７４ａ，７４ｂ，７８ａ，７８ｂとを有する３ＩＤＴ型の縦結合共振子型の弾性表面波フィルタである。
また、第１〜第４の弾性表面波フィルタ５６〜５９ではＩＤＴ同士が隣接している部分において第１の実施形態の弾性表面波フィルタ１の場合と同様に狭ピッチ電極指部Ｎが設けられている。
また、不平衡端子５３に、第１の弾性表面波フィルタ５６の第２のＩＤＴ６２と、第３の弾性表面波フィルタ５８の第２のＩＤＴ７２とが電気的に接続されている。【００５０】
他方、第１の弾性表面波フィルタ５６の第１，第３のＩＤＴ６１，６３が、信号ライン８１，８２により、第２の弾性表面波フィルタ５７の第１，第３のＩＤＴ６５，６７に電気的に接続されている。そして、第２の弾性表面波フィルタ５７の第２のＩＤＴ６６が第１の平衡信号端子５４に接続されている。
他方、第３の弾性表面波フィルタ５８の第１，第３のＩＤＴ７１，７３が、信号ライン８３，８４により、第４の弾性表面波フィルタ５９の第１，第３のＩＤＴ７５，７７に電気的に接続されている。第４の弾性表面波フィルタ５９の第２のＩＤＴ７６が第２の平衡信号端子５５に接続されている。【００５１】
そして、本実施形態では、第４の弾性表面波フィルタ５７の入力信号に対する出力信号の位相が、第１〜第３の弾性表面波フィルタ５６，５８，５９における入力信号に対する出力信号の位相と１８０度異なるように構成されている。従って、平衡−不平衡変換機能が実現されている。
なお、平衡−不平衡変換機能を実現するには、第１，第２の平衡信号端子５４，５５から取り出される信号の位相が１８０度異なるように第１〜第４の弾性表面波フィルタ５６〜５９のＩＤＴを構成すればよく、本変形例の構造に限定されるものではない。【００５２】
すなわち、１つの弾性表面波フィルタの入力信号に対する出力信号の位相が、残りの３つの弾性表面波フィルタの入力信号に対する出力信号の位相と１８０度異なるように構成されておりさえすればよい。
本変形例の弾性表面波フィルタ装置５１において、第１〜第４の弾性表面波フィルタは、ＩＤＴ同士が隣り合う部分に狭ピッチ電極指部Ｎを有する。そして、第１〜第４の弾性表面波フィルタ５６〜５９において、第１，第３のＩＤＴの狭ピッチ電極指部以外の電極指部の電極指の本数及び電極指ピッチは等しくされている。【００５３】
また、第１の弾性表面波フィルタ５６の第１，第３のＩＤＴ６１，６３の狭ピッチ電極指部の電極指ピッチＰ１、狭ピッチ電極指部の電極指の本数ｎ１、第２の弾性表面波フィルタ５７の第１，第３のＩＤＴ６５，６７の狭ピッチ電極指部の電極指ピッチをＰ２、電極指の本数をｎ２、第３の弾性表面波フィルタ５８の第１，第３のＩＤＴ７１，７３の狭ピッチ電極指部の電極指ピッチをＰ３、該狭ピッチ電極指部の電極指の本数をｎ３、第４の弾性表面波フィルタ５９の第１，第３のＩＤＴ７５，７７の狭ピッチ電極指部の電極指ピッチをＰ４、該狭ピッチ電極指部の電極指の本数をｎ４としたとき、ｎ１＝ｎ３及びｎ２＝ｎ４、Ｐ１＝Ｐ３及び，Ｐ２＝Ｐ４とされており、かつ前述した条件（１）〜（７）から選択されたいずれかの条件を満たすように構成されている。【００５４】
従って、本変形例の弾性表面波フィルタ装置５１においては、入出力インピ−ダンス比Ｚ１／Ｚ２が１．０５よりも大きくされた弾性表面波フィルタ２つが入力側を並列接続されて不平衡端子に接続され、出力側を直列接続されて平衡端子に接続され、不平衡信号端子５３側のインピ−ダンスＺＢと、第１，第２の平衡信号端子５４，５５側のインピ−ダンスＺＡとの比ＺＢ／ＺＡを０．２５よりも大きくすることができる。
なお、弾性表面波フィルタ装置５１においても、前述した条件（８）〜（１４）のいずれかを満たすように構成した場合には、不平衡端子５３側のインピ−ダンスＺＢと、第１，第２の平衡信号端子５４，５５側のインピ−ダンスＺＡとの比ＺＢ／ＺＡを０．２５よりも小さい値で０．２５以外の値とすることができる。
【図１】
2006095570.tif 000003
【図２】
2006095570.tif 000004
【図３】
2006095570.tif 000005
【図４】
2006095570.tif 000006
【図５】
2006095570.tif 000007
【図６】
2006095570.tif 000008
【図７】
2006095570.tif 000009
【図８】
2006095570.tif 000010
【図９】
2006095570.tif 000011
【国際調査報告】
2006095570.tif 000012
2006095570.tif 000013
2006095570.tif 000014
2006095570.tif 000015